(57)【特許請求の範囲】
【請求項１】
無線通信ネットワークにおける通信をハンドリングするための、無線デバイス（１０）によって実施される方法であって、前記方法は、
−  どのビームがセルのセル品質導出に含まれるべきかを指示するリストを含む、指示を取得すること（４０１）と、
−  １つまたは複数のビームに関する１つまたは複数の測定を実施すること（４０２）であって、前記１つまたは複数のビームが、前記取得された指示に基づいて選択される、１つまたは複数の測定を実施すること（４０２）と、
−  １つまたは複数の測定レポートを送信すること（４０４）であって、前記１つまたは複数の測定レポートが、実施された前記１つまたは複数の測定のそれぞれの値を備える、１つまたは複数の測定レポートを送信すること（４０４）と、
を含み、
前記指示を取得すること（４０１）は、前記リスト内のビームが測定レポートに含まれることが許容されるか否かを指示するパラメータを取得することをさらに含む、
方法。
【請求項２】
前記指示は、どのビームが前記セル品質導出から除外されることになるかに関して前記無線デバイス（１０）に通知するリストを含む、請求項１に記載の方法。
【請求項３】
前記指示が、無線ネットワークノード（１２）から受信された測定設定に含まれる、請求項１または２に記載の方法。
【請求項４】
−  前記取得された指示を考慮に入れて、前記セルの信号品質導出を実施すること（４０３）
をさらに含む、請求項１から３のいずれか一項に記載の方法。
【請求項５】
無線通信ネットワークにおける通信をハンドリングするための、無線ネットワークノード（１２）によって実施される方法であって、前記方法は、
−  無線デバイス（１０）におけるセル品質導出に含まれるべきまたは除外されるべきビームを決定すること（４１１）と、
−  前記無線デバイス（１０）に、どのビームが前記無線デバイス（１０）における前記セル品質導出に含まれるべきかを指示するリストを含む指示を送信すること（４１２）と、
を含み、
前記指示を送信することは、前記リスト内のビームが測定レポートに含まれることが許容されるか否かを指示するパラメータを送信することをさらに含む、方法。
【請求項６】
前記指示は、どのビームが前記セル品質導出から除外されることになるかに関して前記無線デバイス（１０）に通知するリストを含む、請求項５に記載の方法。
【請求項７】
前記指示が測定設定に含まれる、請求項５または６に記載の方法。
【請求項８】
無線通信ネットワークにおける通信をハンドリングするための無線デバイス（１０）であって、前記無線デバイス（１０）は、
−  どのビームがセルのセル品質導出に含まれるべきかを指示するリストを含む、指示を取得することと、
−  １つまたは複数のビームに関する１つまたは複数の測定を実施することであって、前記１つまたは複数のビームが、前記取得された指示に基づいて選択される、１つまたは複数の測定を実施することと、
−  １つまたは複数の測定レポートを送信することであって、前記１つまたは複数の測定レポートが、実施された前記１つまたは複数の測定のそれぞれの値を備える、１つまたは複数の測定レポートを送信することと、
を行うように設定され、
前記指示を取得することは、前記リスト内のビームが測定レポートに含まれることが許容されるか否かを指示するパラメータを取得することをさらに含む、
無線デバイス（１０）。
【請求項９】
前記指示は、どのビームが前記セル品質導出から除外されることになるかに関して前記無線デバイス（１０）に通知するリストを含む、請求項８に記載の無線デバイス（１０）。
【請求項１０】
前記指示が、無線ネットワークノード（１２）から受信された測定設定に含まれる、請求項８または９に記載の無線デバイス（１０）。
【請求項１１】
前記無線デバイス（１０）が、
前記取得された指示を考慮に入れて、前記セルの信号品質導出を実施すること
を行うようにさらに設定された、請求項８から１０のいずれか一項に記載の無線デバイス（１０）。
【請求項１２】
無線通信ネットワーク（１）における通信をハンドリングするための無線ネットワークノード（１２）であって、前記無線ネットワークノード（１２）は、
無線デバイス（１０）におけるセル品質導出に含まれるべきまたは除外されるべきビームを決定することと、
前記無線デバイス（１０）に指示を送信することであって、前記指示は、どのビームが前記無線デバイス（１０）における前記セル品質導出に含まれるべきかを指示するリストを含む、指示を送信すること
を行うように設定され、
前記指示を送信することは、前記リスト内のビームが測定レポートに含まれることが許容されるか否かを指示するパラメータを送信することをさらに含む、
無線ネットワークノード（１２）。
【請求項１３】
前記指示は、どのビームが前記セル品質導出から除外されることになるかに関して前記無線デバイス（１０）に通知するリストを含む、請求項１２に記載の無線ネットワークノード（１２）。
【請求項１４】
前記指示が測定設定に含まれる、請求項１２または１３に記載の無線ネットワークノード（１２）。
【請求項１５】
少なくとも１つのプロセッサ上で実行されたとき、前記少なくとも１つのプロセッサに、前記無線デバイス（１０）によって実施される、請求項１から４のいずれか一項に記載の方法を行わせる命令を備えるコンピュータプログラム。
【請求項１６】
少なくとも１つのプロセッサ上で実行されたとき、前記少なくとも１つのプロセッサに、前記無線ネットワークノード（１２）によって実施される、請求項５から７のいずれか一項に記載の方法を行わせる命令を備えるコンピュータプログラム。
【請求項１７】
少なくとも１つのプロセッサ上で実行されたとき、前記少なくとも１つのプロセッサに、前記無線デバイス（１０）によって実施される、請求項１から４のいずれか一項に記載の方法を行わせる命令を備えるコンピュータプログラムを記憶した、コンピュータ可読記憶媒体。
【請求項１８】
少なくとも１つのプロセッサ上で実行されたとき、前記少なくとも１つのプロセッサに、前記無線ネットワークノード（１２）によって実施される、請求項５から７のいずれか一項に記載の方法を行わせる命令を備えるコンピュータプログラムを記憶した、コンピュータ可読記憶媒体。
【発明の詳細な説明】
【技術分野】
【０００１】
本明細書の実施形態は、無線ネットワークノード、無線デバイス、ならびに無線ネットワークノードおよび無線デバイスにおいて実施される方法に関する。さらに、コンピュータプログラム製品およびコンピュータ可読記憶媒体も本明細書で提供される。特に、本明細書の実施形態は、無線通信ネットワークにおける、無線デバイスの通信を可能にすること、たとえば測定をハンドリングすることに関する。
【背景技術】
【０００２】
一般的な無線通信ネットワークでは、無線通信デバイス、移動局、局（ＳＴＡ）および／またはユーザ機器（ＵＥ）としても知られる、無線デバイスが、無線アクセスネットワーク（ＲＡＮ）を介して１つまたは複数のコアネットワーク（ＣＮ）に通信する。ＲＡＮは、地理的エリアをカバーし、セル、ビームまたはビームグループと呼ばれることもあるサービスエリアにわたって無線カバレッジを与え、各サービスエリアは、たとえば、いくつかのネットワークでは、たとえば、「ノードＢ」または「ｅノードＢ」または「ｇノードＢ」と示されることもある、無線アクセスノード、たとえばＷｉ−Ｆｉアクセスポイントまたは無線基地局（ＲＢＳ）などの無線ネットワークノードによってサーブまたは制御される。無線ネットワークノードは、無線ネットワークノードの範囲内で、無線周波数上で動作するエアインターフェースを介して無線デバイスと通信する。
【０００３】
Ｕｎｉｖｅｒｓａｌ  Ｍｏｂｉｌｅ  Ｔｅｌｅｃｏｍｍｕｎｉｃａｔｉｏｎｓ  ｎｅｔｗｏｒｋ（ＵＭＴＳ）は、第２世代（２Ｇ）モバイル通信用グローバルシステム（ＧＳＭ）から発展した第３世代（３Ｇ）電気通信ネットワークである。ＵＭＴＳ地上無線アクセスネットワーク（ＵＴＲＡＮ）は、本質的に、ユーザ機器のために広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られるフォーラムでは、電気通信サプライヤが、第３世代ネットワークのための規格を提案およびその規格に関して同意し、向上されたデータレートおよび無線容量を研究する。いくつかのＲＡＮでは、たとえばＵＭＴＳの場合のように、いくつかの無線ネットワークノードは、たとえば、ランドラインまたはマイクロ波によって、無線ネットワークコントローラ（ＲＮＣ）または基地局コントローラ（ＢＳＣ）など、コントローラノードに接続され得、コントローラノードは、コントローラノードに接続された複数の無線ネットワークノードの様々なアクティビティを監視し、協調させる。このタイプの接続は、バックホール接続と呼ばれることがある。ＲＮＣおよびＢＳＣは、一般に、１つまたは複数のコアネットワークに接続される。
【０００４】
第４世代（４Ｇ）ネットワークとも呼ばれる、エボルブドパケットシステム（ＥＰＳ）のための仕様は、第３世代パートナーシッププロジェクト（３ＧＰＰ）内で完成されており、この作業は、たとえば、第５世代（５Ｇ）ネットワークおよび将来の世代のネットワークを指定するために続く。ＥＰＳは、Ｌｏｎｇ  Ｔｅｒｍ  Ｅｖｏｌｕｔｉｏｎ（ＬＴＥ）無線アクセスネットワークとしても知られる、拡張ユニバーサル地上無線アクセスネットワーク（Ｅ−ＵＴＲＡＮ）と、システムアーキテクチャエボリューション（ＳＡＥ）コアネットワークとしても知られる、エボルブドパケットコア（ＥＰＣ）とを備える。Ｅ−ＵＴＲＡＮ／ＬＴＥは、無線ネットワークノードがＲＮＣにではなくＥＰＣコアネットワークに直接接続される３ＧＰＰ無線アクセスネットワークの変形態である。概して、Ｅ−ＵＴＲＡＮ／ＬＴＥでは、ＲＮＣの機能は、無線ネットワークノード、たとえばＬＴＥにおけるｅノードＢと、コアネットワークとの間で分散される。したがって、ＥＰＳのＲＡＮは、１つまたは複数のコアネットワークに直接接続された無線ネットワークノードを備える、本質的に「フラット」なアーキテクチャを有し、すなわち、無線ネットワークノードはＲＮＣに接続されない。そのことを補償するために、Ｅ−ＵＴＲＡＮ仕様は、無線ネットワークノード間の直接インターフェースを規定し、このインターフェースはＸ２インターフェースと示される。
【０００５】
新しい無線（ＮＲ）など、新生の５Ｇ技術では、極めて多くの送信および受信アンテナエレメントを使用することは、それが送信側および受信側ビームフォーミングなど、ビームフォーミングを利用することを可能にするので、重要である。送信側ビームフォーミングは、送信機が、１つまたは複数の選択された方向において送信信号を増幅し、他の方向において送信信号を抑圧することができることを意味する。同様に、受信側ビームフォーミングは、受信機が、１つまたは複数の選択された方向からの信号を増幅し、他の方向からの不要な信号を抑圧することができることを意味する。
【０００６】
ビームフォーミングは、信号が個々の接続についてより強くなることを可能にする。送信側では、これは、（１つまたは複数の）所望の方向における送信電力の集中によって達成され得、受信側では、これは、（１つまたは複数の）所望の方向における受信機感度の増加によって達成され得る。このビームフォーミングは、接続のスループットおよびカバレッジを向上させる。ビームフォーミングは、不要な信号からの干渉を低減することをも可能にし、それにより、時間周波数グリッドにおける同じリソースを使用する複数の個々の接続を介したいくつかの同時送信、いわゆるマルチユーザ多入力多出力（ＭＩＭＯ）を可能にする。
【０００７】
ＮＲでは、図１Ａによる測定モデルが、少なくとも部分的に、同意される可能性がある。
【０００８】
入力Ａにおいて：ｇＮＢのビームの参照信号受信電力（ＲＳＲＰ：ｒｅｆｅｒｅｎｃｅ  ｓｉｇｎａｌ  ｒｅｃｅｉｖｅｄ  ｐｏｗｅｒ）などの測定値（ビーム固有サンプル）、たとえば、ｇＮＢビーム１〜ｋのＲＳＲＰが、内部的に物理レイヤに入力される。
【０００９】
レイヤ１フィルタ処理：ポイントＡにおいて測定された入力の内部レイヤ１（Ｌ１）フィルタ処理。厳密なフィルタ処理は実装依存である。測定が物理レイヤにおいて実装形態（入力Ａおよびレイヤ１フィルタ処理）によって実際にどのように実行されるかは、規格によって制約されない。
【００１０】
Ａ１：フィルタ処理された測定値（すなわちビーム固有測定値）は、レイヤ１フィルタ処理後にレイヤ１によってレイヤ３（Ｌ３）に報告される。
【００１１】
ビームごとのレイヤ３フィルタ処理：ポイントＡ１において与えられたビームの測定値に対して実施されるフィルタ処理。レイヤ３フィルタの挙動は規格化され、レイヤ３フィルタの設定は、無線リソース制御（ＲＲＣ）シグナリングによって与えられる。たとえば、ビーム測定のためのＬ３フィルタ処理が、たとえばＬ２フィルタ処理と呼ばれることがあることに留意されたい。
【００１２】
ビームコンソリデーション（ｃｏｎｓｏｌｉｄａｔｉｏｎ）／選択：ビーム固有測定値とも呼ばれる、ビームの測定値は、ビームの数Ｎが１よりも大きい、すなわちＮ＞１である場合、セル品質を導出するためにコンソリデートされ、そうではなくＮ＝１であるとき、セル品質を導出するために、最良のビーム測定値が選択される。ビームコンソリデーション／選択の挙動は規格化され、このモジュールの設定は、ＲＲＣシグナリングによって与えられ、すなわち、ＲＲＣがパラメータを設定する。Ｂにおける報告期間は、Ａ１における１つの測定期間に等しい。
【００１３】
ビーム報告のためのビーム選択：ビーム固有測定値は、Ｘ個の最良のビームを選択するために、コンソリデートされ、そのＸ個の最良のビームからのビーム情報が測定レポートに含まれる。ビーム選択の挙動は規格化され、このモジュールの設定は、ＲＲＣシグナリングによって与えられる。
【００１４】
簡略化が行われ得、（セル品質導出のために）ＸがＮとして設定され得る。
【００１５】
Ｂ：ビームコンソリデーション／選択の後にレイヤ３に報告されるビーム固有測定値から導出された測定値（すなわちセル品質）。
【００１６】
レイヤ３フィルタ処理：ポイントＢにおいて与えられた測定値に対して実施されるフィルタ処理。レイヤ３フィルタの挙動は規格化され、レイヤ３フィルタの設定は、ＲＲＣシグナリングによって与えられ、すなわち、ＲＲＣがパラメータを設定する。Ｃにおけるフィルタ処理報告期間は、Ｂにおける１つの測定期間に等しい。
【００１７】
Ｃ：レイヤ３フィルタにおける処理の後の測定値。報告レートは、ポイントＢにおける報告レートと同等である。この測定値は、報告基準の１つまたは複数の評価のための入力として使用される。
【００１８】
報告基準の評価：これは、実際の測定報告がポイントＤにおいて必要であるかどうかを検査する。評価は、たとえば、異なる測定値間で比較するために、参照ポイントＣにおける測定値の２つ以上のフローに基づき得る。これは、入力ＣおよびＣ１によって示されている。無線デバイスは、少なくとも、新しい測定結果がポイントＣ、Ｃ１において報告されるたびに、報告基準を評価する。報告基準は規格化され、設定はＲＲＣシグナリング（無線デバイス測定値）によって与えられる。
【００１９】
Ｄ：無線インターフェース上で送られる測定報告情報（メッセージ）。
【００２０】
ＮＲでは、セルが２つ以上の送信および受信ポイント（ＴＲＰ）を有することができることが同意された。１つのそのような例が、図１Ｂに示されている。この展開では、セルＡは２つのＴＲＰを有し、セルＢは１つのＴＲＰのみを有する。セルＡの各ＴＲＰは、各々２つのビームの送信をサポートしている。単一のセル中に２つ以上のＴＲＰがあるとき、セルレベル測定値、たとえば、ＲＳＲＰ、または参照信号受信品質（ＲＳＲＱ）が、ＴＲＰのビームレベル測定値に基づいて導出されることになる。したがって、セル品質は、すべての４つのビームを使用してセルＡについて導出されることになり、セルＢのセル品質は、サポートされるビームのみから導出される。
【００２１】
各ＴＲＰにおけるプロトコルスタックは、物理レイヤ（ＰＨＹ）、すなわちレイヤ１、媒体アクセスレイヤ（ＭＡＣ）、無線リンク制御（ＲＬＣ）、無線リソース制御（ＲＲＣ）およびパケットデータコンバージェンス制御（ＰＤＣＰ）を備え得る。
【００２２】
チャネル状態情報参照信号（ＣＳＩ−ＲＳ：Ｃｈａｎｎｅｌ  Ｓｔａｔｅ  Ｉｎｆｏｒｍａｔｉｏｎ−ｒｅｆｅｒｅｎｃｅ  ｓｉｇｎａｌ）リソースについて、物理セルＩＤ（ＰＣＩ）に基づくセルレベルにおいて、またはサブセルレベルにおいてのいずれかで、ビームのグループ化があり得、ＣＳＩ−ＲＳリソースのグループ化が、測定対象においてまたはレポート設定においてのいずれかで明示的に設定され得ることに留意されたい。ビームコンソリデーション／選択機能は、最良のビーム、またはしきい値を上回るＮ個の最良のビーム、または相対的なしきい値内のＮ個の最良のビームのいずれかを考慮し得る。
【発明の概要】
【００２３】
本明細書の目的は、効率的な様式で無線通信ネットワークの通信についての測定をハンドリングする機構を提供することである。
【００２４】
一態様によれば、目的は、無線通信ネットワークにおける通信をハンドリングするための、無線デバイスによって実施される方法を提供することによって達成される。無線デバイスは、どのビームがセルのセル品質導出に含まれるべきかを指示する指示を取得する。無線デバイスは、さらに、１つまたは複数のビームに関する１つまたは複数の測定を実施し、上記１つまたは複数のビームは、取得された指示に基づいて選択される。
【００２５】
別の態様によれば、目的は、無線通信ネットワークにおける通信をハンドリングするための、無線ネットワークノードによって実施される方法を提供することによって達成される。無線ネットワークノードは、無線デバイスに指示を送信し、指示は、どのビームが無線デバイスにおけるセルのセル品質導出に含まれるべきかを指示する。
【００２６】
少なくとも１つのプロセッサ上で実行されたとき、少なくとも１つのプロセッサに、無線デバイスまたは無線ネットワークノードによって実施される、上記の方法のいずれかを行わせる命令を備えるコンピュータプログラム製品が、本明細書でさらに提供される。少なくとも１つのプロセッサ上で実行されたとき、少なくとも１つのプロセッサに、無線デバイスまたは無線ネットワークノードによって実施される、上記の方法のいずれかに記載の方法を行わせる命令を備えるコンピュータプログラム製品を記憶した、コンピュータ可読記憶媒体が、本明細書でさらに提供される。
【００２７】
また別の態様によれば、目的は、無線通信ネットワークにおける通信をハンドリングするための無線デバイスを提供することによって達成される。無線デバイスは、どのビームがセルのセル品質導出に含まれるべきかを指示する指示を取得するように設定される。無線デバイスは、１つまたは複数のビームに関する１つまたは複数の測定を実施することであって、上記１つまたは複数のビームが、取得された指示に基づいて選択される、１つまたは複数の測定を実施することを行うようにさらに設定される。
【００２８】
また別の態様によれば、目的は、処理回路を備える無線デバイスを提供することによって達成される。処理回路は、どのビームがセルのセル品質導出に含まれるべきかを指示する指示を取得するように設定される。処理回路は、１つまたは複数のビームに関する１つまたは複数の測定を実施することであって、上記１つまたは複数のビームが、取得された指示に基づいて選択される、１つまたは複数の測定を実施することを行うようにさらに設定される。
【００２９】
さらに別の態様によれば、目的は、無線通信ネットワークにおける通信をハンドリングするための無線ネットワークノードを提供することによって達成される。無線ネットワークノードは、無線デバイスに指示を送信することであって、指示は、どのビームが無線デバイスにおけるセルのセル品質導出に含まれるべきかを指示する、指示を送信することを行うように設定される。
【００３０】
また別の態様によれば、目的は、処理回路を備える無線ネットワークノードを提供することによって達成される。処理回路は、無線デバイスに指示を送信することであって、指示は、どのビームが無線デバイスにおけるセルのセル品質導出に含まれるべきかを指示する、指示を送信することを行うように設定される。
【００３１】
いくつかのシナリオでは、すべてのＴＲＰをセル品質導出に含めるとは限らない理由があり得る。これは、ＴＲＰの間で負荷が一様に分配されず、セルがいくつかのＴＲＰにおいてのみ、より多くの無線デバイスを許容する余裕があり得るときの、一般的なシナリオであり得る。Ｎが１よりも大きいとき、セルレベルを導出するために２つ以上のビームが使用され得るので、セルレベル品質を決定するために無線デバイスによってどのビームが選択されるかが、測定値の結果に影響を及ぼすことになる。したがって、本明細書の実施形態は、無線ネットワークノードが、無線デバイスを、セルレベル品質を導出する際にいくつかのビームをセルから除外するように設定することを可能にする。その上、本明細書の実施形態は、どのビームがセル品質導出に含まれるべきかを制御するための方法および装置を提供する。これは、サービングセルが、無線デバイスが、たとえば指示されたビームのみ、すなわち、たとえばハンドオーバがトリガされるときに許容されるビーム、を含め得るような正しいやり方でターゲットセルを評価することを可能にする。したがって、無線通信ネットワークの通信についての測定は、効率的な様式でハンドリングされる。
【００３２】
次に、同封の図面に関して実施形態がより詳細に説明される。
【図面の簡単な説明】
【００３３】
【図１Ａ】ＮＲにおける可能な測定モデルを表す概観である。
【図１Ｂ】ビームを送信するＴＲＰを概略的に示す図である。
【図２】本明細書の実施形態による、無線通信ネットワークを表す概略図である。
【図３】本明細書のいくつかの実施形態による、組み合わせられたフローチャートおよびシグナリング方式の図である。
【図４Ａ】本明細書の実施形態による、無線デバイスによって実施される方法を表すフローチャートである。
【図４Ｂ】本明細書の実施形態による、無線ネットワークノードによって実施される方法を表すフローチャートである。
【図５】本明細書の実施形態による、無線ネットワークノードを表す概略ブロック図である。
【図６】本明細書の実施形態による、無線デバイスを表す概略ブロック図である。
【図７】中間ネットワークを介してホストコンピュータに接続された電気通信ネットワークを概略的に示す図である。
【図８】部分的無線接続上でホストコンピュータが基地局を介してユーザ機器と通信することの一般化されたブロック図である。
【図９】ホストコンピュータと基地局とユーザ機器とを含む通信システムにおいて実装される方法を示すフローチャートである。
【図１０】ホストコンピュータと基地局とユーザ機器とを含む通信システムにおいて実装される方法を示すフローチャートである。
【図１１】ホストコンピュータと基地局とユーザ機器とを含む通信システムにおいて実装される方法を示すフローチャートである。
【図１２】ホストコンピュータと基地局とユーザ機器とを含む通信システムにおいて実装される方法を示すフローチャートである。
【発明を実施するための形態】
【００３４】
本明細書の実施形態は、一般に、無線通信ネットワークに関する。図２は、無線通信ネットワーク１を表す概観である。無線通信ネットワーク１は、１つまたは複数のＲＡＮと、１つまたは複数のＣＮとを備える。無線通信ネットワーク１は、ほんの数個の可能な実装形態を挙げると、新しい無線（ＮＲ）、Ｗｉ−Ｆｉ、Ｌｏｎｇ  Ｔｅｒｍ  Ｅｖｏｌｕｔｉｏｎ（ＬＴＥ）、ＬＴＥアドバンスト、５Ｇ、広帯域符号分割多元接続（ＷＣＤＭＡ）、モバイル通信用グローバルシステム／ＧＳＭ進化型高速データレート（ＧＳＭ／ＥＤＧＥ）、ワールドワイドインターオペラビリティフォーマイクロウェーブアクセス（ＷｉＭａｘ）、またはウルトラモバイルブロードバンド（ＵＭＢ）など、１つまたはいくつかの異なる技術を使用し得る。本明細書の実施形態は、５Ｇコンテキストにおいて特に関心の対象となる最近の技術傾向に関するが、実施形態は、たとえばＷＣＤＭＡおよびＬＴＥなど、既存の無線通信ネットワークのさらなる発展においても適用可能である。
【００３５】
無線通信ネットワーク１において、移動局、非アクセスポイント（非ＡＰ）ＳＴＡ、ＳＴＡ、ユーザ機器および／または無線端末など、無線デバイス１０が、１つまたは複数のアクセスネットワーク（ＡＮ）、たとえばＲＡＮを介して１つまたは複数のコアネットワーク（ＣＮ）に通信し得る。「無線デバイス」が、サービスエリア内で通信する、任意の端末、無線通信端末、ユーザ機器、マシン型通信（ＭＴＣ）デバイス、デバイスツーデバイス（Ｄ２Ｄ）端末、またはノード、たとえば、スマートフォン、ラップトップ、モバイルフォン、センサー、リレー、モバイルタブレット、さらには小さい基地局を意味する、非限定的な用語であることが当業者によって理解されるべきである。
【００３６】
無線通信ネットワーク１は、１つまたは複数のビーム、またはビームグループによって与えられ得る、サービスエリア１１またはセルと呼ばれる、地理的エリアにわたる無線カバレッジを与える無線ネットワークノード１２を備え、ビームのグループは、ＮＲ、５Ｇ、ＬＴＥ、Ｗｉ−Ｆｉ、または同様のものなど、第１の無線アクセス技術（ＲＡＴ）のサービスエリアをカバーしている。また、無線ネットワークノード１２など、無線ネットワークノードが複数のセルをサーブし得る。無線ネットワークノード１２は、送信および受信ポイント、たとえば、無線ローカルエリアネットワーク（ＷＬＡＮ）アクセスポイントまたはアクセスポイント局（ＡＰ  ＳＴＡ）などの無線アクセスネットワークノード、アクセスコントローラ、基地局、たとえばｇノードＢ、ノードＢ、エボルブドノードＢ（ｅＮＢ、ｅノードＢ）などの無線基地局、基地トランシーバ局、無線リモートユニット、アクセスポイント基地局、基地局ルータ、無線基地局の送信構成、スタンドアロンアクセスポイント、あるいは、たとえば使用される無線アクセス技術および用語に応じて無線ネットワークノード１２によってサーブされるサービスエリア内で無線デバイス１０と通信することが可能な任意の他のネットワークユニットであり得る。無線ネットワークノード１２は、無線デバイス１０へのダウンリンク（ＤＬ）送信と無線デバイス１０からのアップリンク（ＵＬ）送信とを用いて無線デバイス１０と通信する。
【００３７】
本明細書の実施形態によれば、無線デバイス１０は、どのビームがセル品質導出に含まれるべきかを指示する指示を取得、たとえば受信する。本明細書の実施形態は、無線デバイス１０におけるセル品質導出に含まれるべきビームを制御する。無線デバイス１０は、たとえば、たとえば測定対象にまたは報告設定になど、測定設定に含まれる、ｂｌａｃｋＢｅａｍｓＬｉｓｔなどのリストを取得し得る。取得されたｂｌａｃｋＢｅａｍｓＬｉｓｔは、セルからのどのビームがセル品質導出から除外されることになるかに関して無線デバイス１０に通知し得る。したがって、本明細書の実施形態は、サービングセル、たとえば無線ネットワークノード１２が、無線デバイス１０が、たとえば指示されたビームのみ、すなわち、たとえばハンドオーバがトリガされるときに許容されるビーム、を含めるであろう正しいやり方でターゲットセルを評価することを可能にする。
【００３８】
図３は、本明細書のいくつかの実施形態による、組み合わせられたフローチャートおよびシグナリング方式である。
【００３９】
アクション３０１．無線デバイス１０は、どのビームがセル品質導出に含まれるべきかを指示する指示を取得する。指示は、無線ネットワークノード１２から受信された測定設定に含まれ得る。無線デバイス１０は、リスト、たとえば、たとえばＬＴＥにおけるｂｌａｃｋＣｅｌｌＬｉｓｔを取得し得る。ｂｌａｃｋＣｅｌｌＬｉｓｔは、測定レポートをトリガすることを許容されないセルのリストである。同様に、無線デバイス１０は、ビームのリスト、たとえばＮＲにおけるｂｌａｃｋＢｅａｍＬｉｓｔを取得し得る。ＮＲにおけるｂｌａｃｋＢｅａｍＬｉｓｔは、それらのビームをセル品質導出機能に含めないように無線デバイス１０に指示し得る。除外されるべきビームのリストは、測定対象情報エレメント中で与えられ得る。リスト中のビームは、個々のビームインデックス、またはビームインデックスの範囲のいずれかを使用することによって指示され得る。これは、ＳＳブロックビームとＣＳＩ−ＲＳビームの両方に適用される。ＣＳＩ−ＲＳの場合、さらに、無線ネットワークノード１２は、あるＴＲＰを表すＣＳＩ−ＲＳが除外され得るように、ＣＳＩ−ＲＳを導出するために使用されるシーケンス生成器コードを使用してリストの一部にされるべきビームを指示し得る。リストは、レポート設定の一部、たとえばレポート設定における測定設定であり得る。これは、グループレベル品質を導出するためのビームのグループ化がレポート設定において与えられるとき、有用であり得る。リストは、セルごとまたは周波数ごとであり得、リストは、無線ネットワークノード１２から与えられ得る。
【００４０】
いくつかの実施形態では、無線デバイス１０は、ビームのリスト、たとえばホワイトリストｉｎｃｌｕｄｅＢｌａｃｋＢｅａｍを取得し得る。この場合、リスト中のビームが測定レポートに含まれることを許容されるか否かを指示するために、パラメータ、たとえばｉｎｃｌｕｄｅＢｌａｃｋＢｅａｍが無線デバイス１０に与えられる。ｉｎｃｌｕｄｅＢｌａｃｋＢｅａｍなどのパラメータが真にセットされた場合、無線デバイス１０は、ビームレポート設定に基づいてビームが適切であると見られた場合のみ、そのようなビームを含め得、すなわち、このビームがセル品質導出において使用されないにもかかわらず、このビームがブラックリストされたビームのリストの一部でなかった場合、このビームは、測定レポートに含まれるのに十分に強いと見られた。いくつかの実施形態では、ビームのホワイトリストは、検出されたビームの品質尺度および／またはインデックスを報告するように無線デバイス１０に指示することができる。
【００４１】
アクション３０２．無線デバイス１０は、さらに、測定レポートを生成し、送信し得、上記測定レポートは、取得された指示に基づく（取得された指示を考慮に入れる）。上記測定レポートは、セル品質導出を決めるために使用され得る。
【００４２】
次に、本明細書の実施形態による、無線通信ネットワーク１における通信をハンドリングするための無線デバイス１０によって実施される方法アクションが、図４Ａに表されているフローチャートを参照しながら説明される。アクションは、以下で述べられる順序でとられる必要がなく、任意の好適な順序でとられ得る。いくつかの実施形態において実施されるアクションは、点線ボックスでマークされる。
【００４３】
アクション４０１．無線デバイス１０は、どのビームがセルのセル品質導出に含まれるべきかを指示する、たとえば、セル品質導出において除外されるべきビームを指示する、指示を取得する。無線デバイス１０は、どのビームがセル品質導出から除外されることになるかに関して無線デバイス１０に通知するリスト、たとえば、ブラックリストを受信し得る。指示は、無線ネットワークノード１２から受信された測定設定に含まれ得る。無線デバイス１０は、リスト中、たとえばホワイトリスト中のビームが測定レポートに含まれることを許容されるか否かを指示するパラメータを取得することによって、指示を取得し得る。無線デバイス１０は、たとえば無線ネットワークノード１２から、除外されるべきビームを指示するリストを取得し得る。無線ネットワークノード１２は、無線デバイス１０に、所与の周波数についてどの同期信号ブロック（ＳＳＢ：ｓｙｎｃｈｒｏｎｉｚａｔｉｏｎ  ｓｉｇｎａｌ  ｂｌｏｃｋ）がセル品質導出のために実際に考慮されるべきであるかを指示し得る。
【００４４】
アクション４０２．無線デバイス１０は、１つまたは複数のビームに関する１つまたは複数の測定を実施し、上記１つまたは複数のビームは、取得された指示に基づいて選択される。
【００４５】
アクション４０３．無線デバイス１０は、受信された指示を考慮に入れて、セルの信号品質導出を実施し得る。
【００４６】
アクション４０４．無線デバイス１０は、１つまたは複数の測定レポートを送信し得、上記１つまたは複数の測定レポートは、実施された１つまたは複数の測定のそれぞれの値を備える。たとえば、無線デバイス１０は、受信された指示に基づいて測定レポートを生成し、送信し得る。無線デバイス１０は、パラメータおよび／またはリストをさらに考慮に入れ得る。
【００４７】
次に、本明細書の実施形態による、無線通信ネットワーク１における通信をハンドリングするための無線ネットワークノード１２によって実施される方法アクションが、図４Ｂに表されているフローチャートを参照しながら説明される。アクションは、以下で述べられる順序でとられる必要がなく、任意の好適な順序でとられ得る。いくつかの実施形態において実施されるアクションは、点線ボックスでマークされる。
【００４８】
アクション４１１．無線ネットワークノード１２は、無線デバイス１０におけるセル品質導出に含まれるべきまたは除外されるべきビームを決定し得る。たとえば、各ビーム方向における負荷に基づいて、すなわち、セル上の負荷が１つのビームから主に一方向において来ている場合、無線ネットワークノード１２は、いくつかの他のビーム中の無線デバイスに、過負荷のビームをそれらの無線デバイスのセル品質導出から除外するように要求し得る。別の使用事例では、特定のタイプ（サービスタイプ）のものでない無線デバイスについて、工場地域をカバーするビームまたはビームのセットが規制され得る。したがって、外部無線デバイスについて、セルは、工場をカバーするビームを除外するように測定対象を設定することができる。
【００４９】
アクション４１２．無線ネットワークノード１２は、無線デバイス１０に指示を送信し、指示は、どのビームが無線デバイス１０におけるセルのセル品質導出に含まれるべきかを指示する。指示は、どのビームがセル品質導出から除外されることになるかに関して無線デバイス１０に通知するリスト、たとえば、ブラックリストであり得る。指示は、測定設定に含まれ得る。無線ネットワークノード１２は、リスト、たとえばホワイトリスト中のビームが測定レポートに含まれることを許容されるか否かを指示するパラメータを送信し得る。無線ネットワークノード１２は、無線デバイス１０に、所与の周波数についてどのＳＳＢがセル品質導出のために考慮されるべきであるかを指示し得る。セル品質導出に含まれるべきビームを指示するリストが、与えられ得る。
【００５０】
図５は、２つの実施形態における、無線通信ネットワーク１における無線デバイス１０のための通信を可能にするための、たとえば無線デバイス１０を設定するための無線ネットワークノード１２を表す概略ブロック図である。
【００５１】
無線ネットワークノード１２は、本明細書の方法を実施するように設定された処理回路５０１、たとえば１つまたは複数のプロセッサを備え得る。
【００５２】
無線ネットワークノード１２は、送信モジュール５０２、たとえば送信機、トランシーバ、または同様のものを備え得る。無線ネットワークノード１２、処理回路５０１、および／または送信モジュール５０２は、無線デバイス１０に指示を送信するように設定される。指示は、どのビームが無線デバイス１０におけるセルのセル品質導出に含まれるべきかを指示する。無線ネットワークノード１２、処理回路５０１、および／または送信モジュール５０２は、リスト中のビームが測定レポートに含まれることを許容されるか否かを指示するパラメータを送信することによって、指示を送信するように設定され得る。指示は、どのビームがセル品質導出から除外されることになるかに関して無線デバイス１０に通知するリストであり得る。指示は、測定設定に含まれ得る。無線ネットワークノード１２および／または処理回路５０１は、無線デバイス１０におけるセル品質導出に含まれるべきまたは除外されるべきビームを決定するように設定され得る。
【００５３】
無線ネットワークノード１２は、１つまたは複数のメモリユニットを備える、メモリ５０３をさらに備える。メモリ５０３は、無線ネットワークノード１２において実行されたときに本明細書の方法を実施するために処理回路５０１によって実行可能な命令を備える。メモリ５０３は、たとえば、情報、設定データ、ビーム、ブラックリスト、ホワイトリスト、リストパラメータ、ビームフォーミングパラメータなどのデータを記憶するために使用されるように構成される。
【００５４】
無線ネットワークノード１２のための本明細書で説明される実施形態による方法は、それぞれ、少なくとも１つのプロセッサ上で実行されたとき、無線ネットワークノード１２によって実施されるように、少なくとも１つのプロセッサに、本明細書で説明されるアクションを行わせる、命令、すなわち、ソフトウェアコード部分を備える、たとえばコンピュータプログラム製品５０４またはコンピュータプログラムの手段によって実装される。コンピュータプログラム製品５０４は、コンピュータ可読記憶媒体５０５、たとえばディスク、ユニバーサルシリアルバス（ＵＳＢ）スティックまたは同様のものに記憶され得る。コンピュータプログラム製品を記憶したコンピュータ可読記憶媒体５０５は、少なくとも１つのプロセッサ上で実行されたとき、無線ネットワークノード１２によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。したがって、無線ネットワークノード１２は処理回路とメモリとを備え得、前記メモリは前記処理回路によって実行可能な命令を備え、それにより、前記無線ネットワークノード１２は、本明細書の方法を実施するように動作可能である。無線ネットワークノード１２は、１つまたは複数のアンテナをさらに備え得る。
【００５５】
図６は、２つの実施形態における、無線通信ネットワークにおける通信をハンドリングするための無線デバイス１０を表す概略ブロック図である。
【００５６】
無線デバイス１０は、本明細書の方法を実施するように設定された処理回路６０１、たとえば１つまたは複数のプロセッサを備え得る。
【００５７】
無線デバイス１０は、取得モジュール６０２、たとえば受信機またはトランシーバを備え得る。無線デバイス１０、処理回路６０１、および／または取得モジュール６０２は、どのビームがセルのセル品質導出に含まれるべきかを指示する指示を取得するように設定される。無線デバイス１０、処理回路６０１、および／または取得モジュール６０２は、どのビームがセル品質導出から除外されることになるかに関して無線デバイス１０に通知するリストを受信することによって、指示を取得するように設定され得る。指示は、無線ネットワークノード１２から受信された測定設定に含まれ得る。無線デバイス１０、処理回路６０１、および／または取得モジュール６０２は、リスト中のビームが測定レポートに含まれることを許容されるか否かを指示するパラメータを取得することによって、指示を取得するようにさらに設定され得る。
【００５８】
無線デバイス１０は、受信された指示を考慮に入れて、セルの信号品質導出を実施するようにさらに設定され得る。
【００５９】
無線デバイス１０は測定モジュール６０３を備え得る。無線デバイス１０、処理回路６０１、および／または測定モジュール６０３は、１つまたは複数のビームを測定することであって、上記１つまたは複数のビームが、取得された指示に基づいて選択される、１つまたは複数のビームを測定することを行うように設定され得る。無線デバイス１０は、受信された指示を考慮に入れて、信号品質導出を実施するように設定され得る。
【００６０】
無線デバイス１０は報告モジュール６０４を備え得る。無線デバイス１０、処理回路６０１、および／または報告モジュール６０４は、１つまたは複数の測定レポートを送信することであって、上記１つまたは複数の測定レポートが、実施された１つまたは複数の測定のそれぞれの値を備える、１つまたは複数の測定レポートを送信することを行うように設定され得る。無線デバイス１０、処理回路６０１、および／または報告モジュール６０４は、測定レポートを生成し、送信するように設定され得る。
【００６１】
無線デバイス１０は、１つまたは複数のメモリユニットを備える、メモリ６０５をさらに備える。メモリ６０５は、無線デバイス１０において実行されているときに本明細書の方法を実施するために処理回路６０１によって実行可能な命令を備える。メモリ６０５は、たとえば、情報、設定、指示、測定値などのデータを記憶するために使用されるように構成される。
【００６２】
無線デバイス１０のための本明細書で説明される実施形態による方法は、少なくとも１つのプロセッサ上で実行されたとき、無線デバイス１０によって実施されるように、少なくとも１つのプロセッサに、本明細書で説明されるアクションを行わせる、命令、すなわち、ソフトウェアコード部分を備える、たとえばコンピュータプログラム製品６０６またはコンピュータプログラムの手段によってそれぞれ実装され得る。コンピュータプログラム製品６０６は、コンピュータ可読記憶媒体６０７、たとえばディスク、ＵＳＢスティック、または同様のものに記憶され得る。コンピュータプログラム製品を記憶したコンピュータ可読記憶媒体６０７は、少なくとも１つのプロセッサ上で実行されたとき、無線デバイス１０によって実施されるように、少なくとも１つのプロセッサに、本明細書で説明されるアクションを行わせる、命令を備え得る。いくつかの実施形態では、コンピュータ可読記憶媒体は、非一時的コンピュータ可読記憶媒体であり得る。したがって、無線デバイス１０は処理回路とメモリとを備え得、前記メモリは前記処理回路によって実行可能な命令を備え、それにより、前記無線デバイス１０は、本明細書の方法を実施するように動作可能である。無線デバイス１０は、１つまたは複数のアンテナをさらに備え得る。
【００６３】
通信設計に精通している人々によって容易に理解されるように、手段またはモジュールは、デジタル論理および／または１つまたは複数のマイクロコントローラ、マイクロプロセッサ、あるいは他のデジタルハードウェアを使用して実装され得る。いくつかの実施形態では、様々な機能のいくつかまたはすべては、単一の特定用途向け集積回路（ＡＳＩＣ）において、あるいは、それらの間の適切なハードウェアおよび／またはソフトウェアインターフェースをもつ２つまたはそれ以上の別個のデバイスにおいてなど、一緒に実装され得る。機能のうちのいくつかは、たとえば、無線端末またはネットワークノードの他の機能構成要素と共有されるプロセッサ上で実装され得る。
【００６４】
代替的に、説明される処理手段の機能エレメントのうちのいくつかは、専用ハードウェアの使用を通して与えられ得、他の機能エレメントは、適切なソフトウェアまたはファームウェアに関連して、ソフトウェアを実行するためのハードウェアを与えられる。したがって、本明細書で使用される「プロセッサ」または「コントローラ」という用語は、ソフトウェアを実行することが可能なハードウェアをもっぱら指すのではなく、限定はしないが、デジタル信号プロセッサ（ＤＳＰ）ハードウェア、ソフトウェアを記憶するための読取り専用メモリ（ＲＯＭ）、ソフトウェアおよび／あるいはプログラムまたはアプリケーションデータを記憶するためのランダムアクセスメモリ、ならびに不揮発性メモリを暗黙的に含み得る。従来のおよび／またはカスタムの他のハードウェアも含まれ得る。通信受信機の設計者は、これらの設計選定に固有のコスト、性能、および保守のトレードオフを諒解されよう。
【００６５】
無線通信ネットワークにおける通信をハンドリングするための、無線デバイス１０によって実施される方法が本明細書で開示される。無線デバイス１０は、どのビームがセル品質導出に含まれるべきかを指示する指示を取得する。無線デバイス１０は、ビームに関する測定を実施し得、上記ビームは、取得された指示に基づいて選択される。したがって、本明細書の実施形態は、セル品質導出に含まれるべきビームを制御する。たとえば、ｂｌａｃｋＢｅａｍｓＬｉｓｔが、与えられ、たとえば、測定対象にまたは報告設定になど、測定設定に含まれ得、そのリストは、セルからのどのビームがセル品質導出から除外されることになるかに関して無線デバイス１０に通知することになる。
【００６６】
無線通信ネットワークにおける通信をハンドリングするための、無線ネットワークノード１２によって実施される方法が本明細書で開示される。無線ネットワークノードは、無線デバイス１０に指示を送信し、指示は、どのビームが無線デバイス１０におけるセル品質導出に含まれるべきかを指示する。無線ネットワークノード１２は、たとえば測定対象にまたは報告設定になど、測定設定に含まれる、ｂｌａｃｋＢｅａｍｓＬｉｓｔを送信し得、ｂｌａｃｋＢｅａｍｓＬｉｓｔは、セルからのどのビームがセル品質導出から除外されることになるかに関して無線デバイス１０に通知することになる。
【００６７】
図７を参照すると、一実施形態によれば、通信システムが、無線アクセスネットワークなどのアクセスネットワーク３２１１とコアネットワーク３２１４とを備える、３ＧＰＰタイプセルラーネットワークなど、電気通信ネットワーク３２１０を含む。アクセスネットワーク３２１１は、本明細書の無線ネットワークノード１２の例であるＮＢ、ｅＮＢ、ｇＮＢ、または他のタイプの無線アクセスポイントなど、複数の基地局３２１２ａ、３２１２ｂ、３２１２ｃを備え、各々が、対応するカバレッジエリア３２１３ａ、３２１３ｂ、３２１３ｃを規定する。各基地局３２１２ａ、３２１２ｂ、３２１２ｃは、有線接続または無線接続３２１５上でコアネットワーク３２１４に接続可能である。カバレッジエリア３２１３ｃ中にある、無線デバイス１０の一例である第１のユーザ機器（ＵＥ）３２９１が、対応する基地局３２１２ｃに無線で接続するように、または対応する基地局３２１２ｃによってページングされるように設定される。カバレッジエリア３２１３ａ中の第２のＵＥ３２９２が、対応する基地局３２１２ａに無線で接続可能である。この例では複数のＵＥ３２９１、３２９２が示されているが、開示される実施形態は、唯一のＵＥがカバレッジエリア中にある状況、または唯一のＵＥが対応する基地局３２１２に接続している状況に等しくに適用可能である。
【００６８】
電気通信ネットワーク３２１０はそれ自体で、スタンドアロンサーバ、クラウド実装サーバ、分散型サーバのハードウェアおよび／またはソフトウェアにおいて、あるいはサーバファーム中の処理リソースとして具現され得る、ホストコンピュータ３２３０に接続される。ホストコンピュータ３２３０は、サービスプロバイダの所有または制御下にあり得、あるいはサービスプロバイダによってまたはサービスプロバイダに代わって動作され得る。電気通信ネットワーク３２１０とホストコンピュータ３２３０との間の接続３２２１、３２２２は、コアネットワーク３２１４からホストコンピュータ３２３０に直接延びるか、または随意の中間ネットワーク３２２０を介して進み得る。中間ネットワーク３２２０は、パブリックネットワーク、プライベートネットワーク、またはホストされたネットワークのうちの１つ、またはそれらのうちの２つ以上の組合せであり得、中間ネットワーク３２２０は、もしあれば、バックボーンネットワークまたはインターネットであり得、特に、中間ネットワーク３２２０は、２つまたはそれ以上のサブネットワーク（図示せず）を備え得る。
【００６９】
図７の通信システムは全体として、接続されたＵＥ３２９１、３２９２のうちの１つとホストコンピュータ３２３０との間の接続性を可能にする。接続性は、オーバーザトップ（ＯＴＴ）接続３２５０として説明され得る。ホストコンピュータ３２３０および接続されたＵＥ３２９１、３２９２は、媒介としてアクセスネットワーク３２１１、コアネットワーク３２１４、何らかの中間ネットワーク３２２０、および可能なさらなるインフラストラクチャ（図示せず）を使用して、ＯＴＴ接続３２５０を介してデータおよび／またはシグナリングを通信するように設定される。ＯＴＴ接続３２５０が通過する関与する通信デバイスが、アップリンク通信およびダウンリンク通信のルーティングに気づいていないという意味で、ＯＴＴ接続３２５０は透過的であり得る。たとえば、基地局３２１２は、接続されたＵＥ３２９１にフォワーディング（たとえば、ハンドオーバ）されるべき、ホストコンピュータ３２３０から発生したデータを伴う着信ダウンリンク通信の過去のルーティングに関して、通知されないことがあり、または通知される必要がない。同様に、基地局３２１２は、ＵＥ３２９１から発生してホストコンピュータ３２３０に向かう発信アップリンク通信の将来ルーティングに気づいている必要がない。
【００７０】
次に、図８を参照しながら、一実施形態による、先の段落で説明されたＵＥ、基地局およびホストコンピュータの例示的な実装形態が説明される。通信システム３３００では、ホストコンピュータ３３１０が、通信システム３３００の異なる通信デバイスのインターフェースとの有線接続または無線接続をセットアップおよび維持するように設定された、通信インターフェース３３１６を含むハードウェア３３１５を備える。ホストコンピュータ３３１０は、記憶能力および／または処理能力を有し得る、処理回路３３１８をさらに備える。特に、処理回路３３１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ３３１０は、ホストコンピュータ３３１０に記憶されるかまたはホストコンピュータ３３１０によってアクセス可能であり、処理回路３３１８によって実行可能である、ソフトウェア３３１１をさらに備える。ソフトウェア３３１１は、ホストアプリケーション３３１２を含む。ホストアプリケーション３３１２は、ＵＥ３３３０およびホストコンピュータ３３１０において終端するＯＴＴ接続３３５０を介して接続するＵＥ３３３０など、リモートユーザにサービスを与えるように動作可能であり得る。リモートユーザにサービスを与える際に、ホストアプリケーション３３１２は、ＯＴＴ接続３３５０を使用して送信されるユーザデータを与え得る。
【００７１】
通信システム３３００は、電気通信システム中に与えられる基地局３３２０をさらに含み、基地局３３２０は、基地局３３２０がホストコンピュータ３３１０およびＵＥ３３３０と通信することを可能にするハードウェア３３２５を備える。ハードウェア３３２５は、通信システム３３００の異なる通信デバイスのインターフェースとの有線接続または無線接続をセットアップおよび維持するための通信インターフェース３３２６、ならびに、基地局３３２０によってサービスされるカバレッジエリア（図８に図示せず）中にあるＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように設定され得る。接続３３６０は直接であり、あるいは接続３３６０は、電気通信システムのコアネットワーク（図８に図示せず）を通過し、および／または電気通信システムの外部の１つまたは複数の中間ネットワークを通過し得る。図示の実施形態では、基地局３３２０のハードウェア３３２５は、処理回路３３２８をさらに含み、処理回路３３２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局３３２０は、内部的に記憶されるかまたは外部接続を介してアクセス可能なソフトウェア３３２１をさらに有する。
【００７２】
通信システム３３００は、すでに言及されたＵＥ３３３０をさらに含む。そのハードウェア３３３５は、ＵＥ３３３０が現在位置するカバレッジエリアをサービスする基地局との無線接続３３７０をセットアップおよび維持するように設定された、無線インターフェース３３３７を含み得る。ＵＥ３３３０のハードウェア３３３５は、処理回路３３３８をさらに含み、処理回路３３３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ３３３０は、ＵＥ３３３０に記憶されるかまたはＵＥ３３３０によってアクセス可能であり、処理回路３３３８によって実行可能である、ソフトウェア３３３１をさらに備える。ソフトウェア３３３１はクライアントアプリケーション３３３２を含む。クライアントアプリケーション３３３２は、ホストコンピュータ３３１０のサポートのもとに、ＵＥ３３３０を介して人間または人間でないユーザにサービスを与えるように動作可能であり得る。ホストコンピュータ３３１０では、実行しているホストアプリケーション３３１２は、ＵＥ３３３０およびホストコンピュータ３３１０において終端するＯＴＴ接続３３５０を介して、実行しているクライアントアプリケーション３３３２と通信し得る。ユーザにサービスを与える際に、クライアントアプリケーション３３３２は、ホストアプリケーション３３１２から要求データを受信し、要求データに応答してユーザデータを与え得る。ＯＴＴ接続３３５０は、要求データとユーザデータの両方を転送し得る。クライアントアプリケーション３３３２は、クライアントアプリケーション３３３２が与えるユーザデータを生成するためにユーザと相互作用し得る。
【００７３】
図８に示されているホストコンピュータ３３１０、基地局３３２０およびＵＥ３３３０は、それぞれ、図７のホストコンピュータ３２３０、基地局３２１２ａ、３２１２ｂ、３２１２ｃのうちの１つ、およびＵＥ３２９１、３２９２のうちの１つと同等であり得ることに留意されたい。つまり、これらのエンティティの内部の働きは、図８に示されているものであり得、別個に、周囲のネットワークトポロジーは、図７のものであり得る。
【００７４】
図８では、ＯＴＴ接続３３５０は、基地局３３２０を介したホストコンピュータ３３１０とユーザ機器３３３０との間の通信を示すために、中間デバイスとこれらのデバイスを介したメッセージの正確なルーティングとへの明示的言及なしに、抽象的に描かれている。ネットワークインフラストラクチャが、ルーティングを決定し得、ネットワークインフラストラクチャは、ＵＥ３３３０からまたはホストコンピュータ３３１０を動作させるサービスプロバイダから、またはその両方からルーティングを隠すように設定され得る。ＯＴＴ接続３３５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【００７５】
ＵＥ３３３０と基地局３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用して、ＵＥ３３３０に与えられるＯＴＴサービスの性能を改善する。より正確には、これらの実施形態の教示は、使用すべきセルまたはビームが指示されるので、リソースの使用率を改善し得、これは、レイテンシに影響を及ぼし、それにより、低減されたユーザ待ち時間およびより良好な応答性などの利益を与え得る。
【００７６】
１つまたは複数の実施形態が改善する、データレート、レイテンシおよび他のファクタを監視する目的で、測定プロシージャが与えられ得る。測定結果の変動に応答して、ホストコンピュータ３３１０とＵＥ３３３０との間のＯＴＴ接続３３５０を再設定するための随意のネットワーク機能性がさらにあり得る。測定プロシージャおよび／またはＯＴＴ接続３３５０を再設定するためのネットワーク機能性は、ホストコンピュータ３３１０のソフトウェア３３１１においてまたはＵＥ３３３０のソフトウェア３３３１において、またはその両方において実装され得る。実施形態では、ＯＴＴ接続３３５０が通過する通信デバイスにおいてまたはそれに関連して、センサー（図示せず）が展開され得、センサーは、上記で例示された監視された量の値を供給すること、またはソフトウェア３３１１、３３３１が監視された量を算出または推定し得る他の物理量の値を供給することによって、測定プロシージャに参加し得る。ＯＴＴ接続３３５０の再設定は、メッセージフォーマット、再送信セッティング、好ましいルーティングなどを含み得、再設定は、基地局３３２０に影響を及ぼす必要がなく、再設定は、基地局３３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ３３１０の測定を容易にするプロプライエタリＵＥシグナリングを伴い得る。測定は、ソフトウェア３３１１、３３３１が、ソフトウェア３３１１、３３３１が伝搬時間、エラーなどを監視する間にＯＴＴ接続３３５０を使用して、メッセージ、特に空のまたは「ダミー」メッセージが送信されることを引き起こすことにおいて、実装され得る。
【００７７】
図９は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図９への図面参照のみがこのセクションに含まれる。方法の第１のステップ３４１０において、ホストコンピュータはユーザデータを与える。第１のステップ３４１０の随意のサブステップ３４１１において、ホストコンピュータは、ホストアプリケーションを実行することによって、ユーザデータを与える。第２のステップ３４２０において、ホストコンピュータは、ユーザデータをＵＥに搬送する送信を始動する。随意の第３のステップ３４３０において、基地局は、本開示全体にわたって説明される実施形態の教示に従って、ホストコンピュータが始動した送信において搬送されたユーザデータをＵＥに送信する。随意の第４のステップ３４４０において、ＵＥは、ホストコンピュータによって実行されたホストアプリケーションに関連するクライアントアプリケーションを実行する。
【００７８】
図１０は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１０への図面参照のみがこのセクションに含まれる。方法の第１のステップ３５１０において、ホストコンピュータはユーザデータを与える。随意のサブステップ（図示せず）において、ホストコンピュータは、ホストアプリケーションを実行することによって、ユーザデータを与える。第２のステップ３５２０において、ホストコンピュータは、ユーザデータをＵＥに搬送する送信を始動する。送信は、本開示全体にわたって説明される実施形態の教示に従って、基地局を介して進み得る。随意の第３のステップ３５３０において、ＵＥは、送信において搬送されたユーザデータを受信する。
【００７９】
図１１は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１１への図面参照のみがこのセクションに含まれる。方法の随意の第１のステップ３６１０において、ＵＥは、ホストコンピュータによって与えられた入力データを受信する。追加または代替として、随意の第２のステップ３６２０において、ＵＥはユーザデータを与える。第２のステップ３６２０の随意のサブステップ３６２１において、ＵＥは、クライアントアプリケーションを実行することによって、ユーザデータを与える。第１のステップ３６１０のさらなる随意のサブステップ３６１１において、ＵＥは、ホストコンピュータによって与えられた受信された入力データに反応してユーザデータを与える、クライアントアプリケーションを実行する。ユーザデータを与える際に、実行されたクライアントアプリケーションは、ユーザから受信されたユーザ入力をさらに考慮し得る。ユーザデータが与えられた特定の様式にかかわらず、ＵＥは、随意の第３のサブステップ３６３０において、ホストコンピュータへのユーザデータの送信を始動する。方法の第４のステップ３６４０において、ホストコンピュータは、本開示全体にわたって説明される実施形態の教示に従って、ＵＥから送信されたユーザデータを受信する。
【００８０】
図１２は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１２への図面参照のみがこのセクションに含まれる。方法の随意の第１のステップ３７１０において、本開示全体にわたって説明される実施形態の教示に従って、基地局は、ＵＥからユーザデータを受信する。随意の第２のステップ３７２０において、基地局は、ホストコンピュータへの、受信されたユーザデータの送信を始動する。第３のステップ３７３０において、ホストコンピュータは、基地局によって始動された送信において搬送されたユーザデータを受信する。
【００８１】
上記の説明および添付の図面は、本明細書で教示された方法および装置の非限定的な例を表すことが諒解されよう。したがって、本明細書で教示された装置および技法は、上記の説明および添付の図面によって限定されない。代わりに、本明細書の実施形態は、以下の特許請求の範囲およびそれらの法的均等物によってのみ限定される。
【図１Ａ】
0006980816.tif 000002
【図１Ｂ】
0006980816.tif 000003
【図２】
0006980816.tif 000004
【図３】
0006980816.tif 000005
【図４Ａ】
0006980816.tif 000006
【図４Ｂ】
0006980816.tif 000007
【図５】
0006980816.tif 000008
【図６】
0006980816.tif 000009
【図７】
0006980816.tif 000010
【図８】
0006980816.tif 000011
【図９】
0006980816.tif 000012
【図１０】
0006980816.tif 000013
【図１１】
0006980816.tif 000014
【図１２】
0006980816.tif 000015